(57)【要約】 【課題】  緊急脱出時の構成部材が邪魔にならず、且つ確実でしかも開放操作に支障がなく、また既存の玄関扉等に避難口を備えさせるべき改修も容易に行える避難口付き扉の構造を提供する。【解決手段】  扉本体Ａの矩形開口部１に略密嵌合され且つ扉と略同一厚さに形成すると共に、矩形開口部に扉背面から嵌合した際に開口部周縁背面と当接する鍔部２１を設けた戸板部２を、戸板部の背面下方の側縁から開口部から外れた下方位置まで延設したヒンジ腕３１を供え、当該ヒンジ腕の先端部分で扉側のヒンジ腕３２と軸連結し、戸板部上縁に係止鍵部４を設け、扉表面における戸板部の外周面と開口部内周面との間隙に柔軟材質の密封シール体５を嵌装してなる。【選択図】図２
2006045873.tif 000002
【特許請求の範囲】
【請求項１】
扉の矩形開口部に略密嵌合され且つ扉と略同一厚さに形成すると共に、矩形開口部に扉背面から嵌合した際に開口部周縁背面と当接する鍔部を設けた戸板部を、戸板部の背面下方の側縁に開口部から外れた下方位置まで延設したヒンジ腕を供え、当該ヒンジ腕の先端部分で扉側のヒンジ腕と軸連結して開口部に装着し、戸板部上縁と開口部とに係止鍵部を設け、扉表面における戸板部の外周面と開口部内周面との間隙に柔軟材質の密封シール体を嵌装してなることを特徴とする避難口付き扉。
【請求項２】
矩形開口部の内縁部に、Ｌ条金属板を表面及び背面から装着して戸板部の枠縁を形成してなる請求項１記載の避難口付き扉。
【請求項３】
係止鍵部を、戸板部側の操作ハンドルと扉側の受け鍵で構成し、前記操作ハンドルに、適宜な力で破壊又は変形することで操作ハンドルの回動操作を可能とする保護部材を付設してなる請求項１又は２記載の避難口付き扉。
【発明の詳細な説明】
【技術分野】
【０００１】
本発明は、脱出が容易になされ、又既存の玄関扉等に避難口を備えさせるべき改修を容易に行える構造を備えた避難口付き扉に関するものである。
【背景技術】
【０００２】
地震や火災等の災害時に、ドア枠に予定している耐久力以上の外力が加わると変形して扉の開閉ができなくなり、当該扉から屋外への脱出が不可能となる。そこで従前より避難口を備えた扉が提案されている。
【０００３】
例えば実開昭５５−１０１２９３号公報（特許文献１）には、扉の下半分に避難口となる開口部を形成し、当該開口部に引き倒し方式の戸板部が設けられている避難口付き扉が開示されており、特開平８−２６６６５３号公報（特許文献２）には、左右開きの戸板部が設けられている避難口付き扉が開示されている。
【０００４】
【特許文献１】実開昭５５−１０１２９３号公報。
【特許文献２】特開平８−２６６６５３号公報。
【発明の開示】
【発明が解決しようとする課題】
【０００５】
前記避難口付き扉においては、当該避難口部分が通常は使用されていないので、扉としての機能低下とならないように避難口用扉（以下「戸板部」という）には密閉構造が必要であり、しかも緊急時には容易に開放操作ができる必要がある。更には避難時において開放した戸板部が邪魔にならないようにしなければならない。勿論既存の扉に避難口付きの改修を施す場合には、改修作業が容易であれば良い。
【０００６】
そこで前記した公知の戸板部について見てみると、特許文献２記載の避難口の様な円形避難口の場合には、既存扉の内部構造によっては円形孔を穿つことが煩雑である場合が多いし、又戸板部の横開閉は、避難時に同扉が何らかの力で煽られて避難口を塞いでしまう虞もある。
【０００７】
また避難口の密閉確保構造として、避難口額縁と戸板部とが扉表裏面に対して傾斜面として形成して、傾斜面の密着構造で当該箇所の密閉を確保している。然し前記した通り避難口の開放は災害時等の緊急事態のときであり、滅多に使用されない。このため広い面積で密着させて長年放置しておくと、当該密着面に細かい塵芥が入り込んで接着状態となり、非常時に開放し難いことがある。このように特許文献２記載の避難口付き扉は種々の問題点を有している。
【０００８】
また特許文献１記載の避難口付き扉に着目すると、特許文献２記載の避難口の円形と異なり矩形であり、既存扉改修に際して避難口の穿孔は容易である。また戸板部は手前下方に倒伏する構造であるから、避難時に避難口を塞ぐ虞は無い。然しながら閉塞時の密閉を確保するために、戸板部がその額縁内面と当接する構造を採用しているのに、当該額縁の下辺においては、戸板部と直接ヒンジで連結してなるので、前記ヒンジを設けた戸板部下縁部分では密閉が確保されない。また表側から扉を見ると避難口部分が凹所となり見栄えが悪く、更には戸板部を扉と同一形態（断熱性や材質の一致等）とすることができない等の種々の問題点を有している。
【０００９】
そこで本発明は、脱出時の邪魔にならず、確実で且つ開放操作に支障がなく、既存の玄関扉等に避難口を備えさせるべき改修も容易に行える避難口付き扉構造を提案したものである。
【課題を解決するための手段】
【００１０】
本発明に係る避難口付き扉は、扉の矩形開口部に略密嵌合され且つ扉と略同一厚さに形成すると共に、矩形開口部に扉背面から嵌合した際に開口部周縁背面と当接する鍔部を設けた戸板部を、戸板部の背面下方の側縁に開口部から外れた下方位置まで延設したヒンジ腕を供え、当該ヒンジ腕の先端部分で扉側のヒンジ腕と軸連結して開口部に装着し、戸板部上縁に係止鍵部と開口部とを設け、扉表面における戸板部の外周面と開口部内周面との間隙に柔軟材質の密封シール体を嵌装してなることを特徴とするものである。
【００１１】
従って戸板部で開口部を塞いでいる状態では、扉表面側においては密閉シール体が嵌装されており、扉背面側では鍔部が当接することによって開口部（避難口）が密閉されており、閉塞状態を維持しても、開口部と戸板部との間隙が目詰まりすることが無いので、緊急時において、係止鍵を解除して戸板部を内側に倒伏し開口部を避難口として使用する際にも、開放操作が確実に実施できるものであり、特にヒンジ部のヒンジ軸が開口部より外れた位置にあるので、前記間隙を狭くでき、しかも戸板部が脱出時に邪魔になる虞がない。
【００１２】
又本発明は、更に矩形開口部の内縁部に、Ｌ条金属板を表面及び背面から装着して戸板部の枠縁を形成してなるもので、これによってどのような既存扉においても、所定大きさの矩形開口部を穿設し、前記枠縁を組み込むことで容易に避難口付き扉への改修ができるものである。
【発明の効果】
【００１３】
本発明は上記構成を採用したことによって、戸板部による開口部の密閉が確保されると同時に、当該密閉構造の採用によって緊急時の操作性低下の虞が無く、緊急時における確実な避難口を確保でき、しかも戸板部を扉と同様の構成とすることも容易である。更に既存の扉の改修による避難口形成も容易に実施できるものである。
【発明を実施するための最良の形態】
【００１４】
次に本発明の実施の形態について説明する。実施形態に示した例は、既存扉を改修して避難口付き扉にする例について説明する。
【００１５】
既存扉の改修は、開口部１を形成し、別形成の戸板部２を前記開口部１に、ヒンジ部３と係止鍵部４によって、開閉自在に組み込み、組み込み後に係止鍵部４を誤って操作しないようにする保護部材６を付設してなるものである。
【００１６】
開口部１の形成は、扉本体Ａの下方部分に適宜な矩形孔を穿設し、前記の矩形開口部の内縁部に、Ｌ条金属板を表面及び背面から装着し、前記金属板が重なり合った開口部内周面をビスで扉本体Ａに固定することでなされるものである。
【００１７】
戸板部２は、前記矩形の開口部１に略密嵌合される大きさで、扉本体Ａと略同一厚さに形成すると共に、扉本体Ａの断熱性能と合致させ、表面側処理は扉本体Ａと同様な形態とする。更に開口部１に扉本体Ａの背面から嵌合した際に開口部１の周縁背面と当接する鍔部２１を設けてなるものである。
【００１８】
前記の戸板部２を開口部１に組み込むには、戸板部２の側部下方をヒンジ部３で連結し、戸板部２の上方部分に係止鍵部４を設けるものである。
【００１９】
ヒンジ部３は、戸板部２側のヒンジ腕３１と扉側のヒンジ腕３２を各々突設し、両ヒンジ腕３１，３２の先端部分で枢結するもので、特にヒンジ腕３１を、戸板部２の背面下方の側縁のギリギリか或いはそれ以上横方向にはみ出させ、且つ開口部１から外れた下方位置まで延設してなり、扉側のヒンジ腕３２は、前記ヒンジ腕３１の先端に設ける水平軸としたヒンジ軸３３が軸装できる位置に設ければ良いものである。
【００２０】
また係止鍵部４は、戸板部２の上縁部分に設けたもので、戸板部２側の操作ハンドル４１と扉側の受け鍵４２で構成される周知構造で、操作ハンドル４１は、回動によって先端部（ハンドル部分の反対側）の受け鍵（係止腕部）４２への係止又は解除を行うものであり、受け鍵４２は、下方に係止腕部を突設したものである。
【００２１】
更に戸板部２で開口部１を閉塞した後に、扉本体Ａの表面において、戸板部２の外周面と開口部１内周面との間隙Ｂに、柔軟材質の密封シール体５を嵌装する。この密封シール体５は、前記間隙Ｂ内への塵芥の侵入を防止することを目的とするものであり、戸板部を開放する緊急時には不要のものであるから、扉本体Ａから外れないようにしておけば良いので、開口部枠縁や戸板部の外周面の一方にのみに軽度の接着剤で接着しておくだけでよい。勿論離脱の虞がない場合には、接着剤の使用は必要が無い。
【００２２】
また前記操作ハンドル４１には、保護部材６を付設したものである。保護部材６は、戸板部２に固着し、操作ハンドル４１を覆うように設けて、操作ハンドル４１の回動を阻止する形状としているものであり、特にその材質や形状は、所定の力（通常の大人が扉開口意志を以って操作ハンドル４１を操作する際の力）が加わると、破壊又は変形して操作ハンドル４１の回動操作が可能となる程度のものである。これによって誤って操作ハンドルに触れたり、幼児の悪戯によって操作ハンドル４１が動作しないようにしたものである。
【００２３】
而して前記既存の扉に避難口を形成したことによって、扉本体Ａを明けることができな  くなった緊急時に、戸板部２を開いて脱出用の避難口を確保するものであり、特に閉塞時に開口部１と戸板部２の間隙Ｂの表背部分が密封シール体５と鍔部２１で塞がれているので、扉の機能が充分に果たされると共に、当該間隙Ｂに塵芥が侵入して詰まり戸板部２の開放に支障が生ずる虞がない。
【００２４】
また開放した際の避難時においても、屋内側に倒伏した戸板部２は、操作ハンドル４１が戸板部２の下面側に位置することになり、またヒンジ腕３１，３２は避難口（開口部１）より側方で且つ下方に位置することになるので、これらの構成部材が避難時の障害とならず、スムーズな避難ができるものである。
【図面の簡単な説明】
【００２５】
【図１】本発明の実施形態の背面図。
【図２】同避難口部分の縦断面図。
【図３】同避難口部分の横断面図。
【図４】同脱出時状態（避難口開口）の説明図。
【符号の説明】
【００２６】
１        開口部
２        戸板部
２１      鍔部
３        ヒンジ部
３１，３２    ヒンジ腕
３３      ヒンジ軸
４        係止鍵部
４１      操作ハンドル
４２      受け鍵
５        密封シール体
６        保護部材
Ａ        扉本体
Ｂ        間隙
【図１】
2006045873.tif 000003
【図２】
2006045873.tif 000004
【図３】
2006045873.tif 000005
【図４】
2006045873.tif 000006